(57)【要約】本発明は、ジャイロスコープを用いて、コマ遊びの面白みを向上させたコマと、これを用いたコマ遊び装置を提供し、コマの回転体が外部に露出しないため、衝突が生じても、回転体の回転力が長時間維持され得るという長所がある。【選択図】図１
2016523177.tif 000002
【特許請求の範囲】
【請求項１】
内部に収納空間を形成し、ワインダー１４０が貫通するように、複数のワインダー挿入孔１１３、２１３を形成した外部回転体１１０、２１０と、
前記外部回転体１１０、２１０の内部に設けられ、回転軸１２１、２２１を中心として、前記外部回転体１１０、２１０の内部において回転する内部回転体１２０、２２０と、
一側にラックギア１４２が形成され、前記外部回転体１１０、２１０の前記ワインダー挿入孔１１３、２１３から挿入され、前記内部回転体１２０、２２０と噛み合い、前記内部回転体１２０、２２０が前記外部回転体１１０、２１０の内部において回転するように回転力を提供する前記ワインダー１４０と、を備え、
前記内部回転体１２０、２２０の遠心力により、前記外部回転体１１０、２１０が回転することを特徴とするコマ。
【請求項２】
前記コマが、前記外部回転体１１０、２１０が定着し、前記外部回転体１１０、２１０の回転または前記内部回転体１２０、２２０の回転の少なくとも一つの回転を用いて回転する補助コマ１３０、２３０をさらに有することを特徴とする請求項１に記載のコマ。
【請求項３】
前記補助コマ１３０が、前記外部回転体１１０が定着する外部回転体収納溝１３１と、
前記外部回転体収納溝１３１の底面に設置された補助コマ回転軸１３２と、
前記外部回転体収納溝１３１に設けられ、前記外部回転体収納溝１３１に定着する外部回転体１１０と結合し、前記結合された外部回転体１１０の回転を補助コマ１３０に伝達する結合突起１３３と、を有することを特徴とする請求項２に記載のコマ。
【請求項４】
前記補助コマ２３０が、前記外部回転体２１０が定着する外部回転体収納溝２３１と、
前記外部回転体収納溝２３１の底面に設けられた補助コマ回転軸２３２と、
前記外部回転体収納溝２３１に設けられ、前記外部回転体２１０から一定の長さだけ突出する前記内部回転体２２０の回転軸２２１と結合し、前記結合された内部回転体２２０の回転を前記補助コマ２３０に伝達させる結合溝２３３と、を有することを特徴とする請求項２に記載のコマ。
【請求項５】
前記外部回転体１１０が、球または楕円状の上部及び下部に、前記補助コマ１３０と結合するように、結合溝１１１ａを内在した結合孔１１１を形成したことを特徴とする請求項２に記載のコマ。
【請求項６】
前記外部回転体２１０が、球または楕円状の内側下部に内部回転体２２０の回転軸２２１を支持する回転軸支持部２１１と、
前記球状の内側上部に前記内部回転体２２０の回転軸２２１の一部が引き出される回転軸貫通孔２１２と、を形成したことを特徴とする請求項２に記載のコマ。
【請求項７】
前記内部回転体１２０が、回転軸１２１と、
前記回転軸１２１に設けられた回転体１２２と、
前記回転軸１２１に設けられ、ワインダー１４０の水平運動を回転運動に変換し、前記回転軸１２１に出力するピニアンギア１２３と、を有することを特徴とする請求項１または２に記載のコマ。
【請求項８】
前記内部回転体２２０が、一側に一定の形状の結合突起２２１ａを形成した回転軸２２１と、
前記回転軸２２１に設けられた回転体２２２と、
前記回転軸２２１に設けられ、ワインダー１４０の水平運動を回転運動に変換し、前記回転軸２２１に出力するピニアンギア２２３と、
前記回転軸２２１の一側に設けられ、前記回転軸２２１の結合突起２２１ａが、外部回転体２１０の外部に一定の長さ以上引き出されることを遮断するストッパー２２４と、を有することを特徴とする請求項１または２に記載のコマ。
【請求項９】
内部に収納空間を形成した外部回転体３１０と、
前記外部回転体３１０の内部に設けられ、前記外部回転体３１０を貫通する回転軸３２１を中心として、前記外部回転体３１０の内部において回転する内部回転体３２０と、
前記外部回転体３１０が定着し、ワインダー５００が貫通する複数のワインダー挿入孔４１２が形成され、前記内部回転体３２０の回転軸３２１と結合し、前記ワインダー５００の水平運動を回転運動に変換させ、前記内部回転体３２０を回転させるコマランチャー４００と、
一側にラックギア５２０を形成し、前記コマランチャー４００と噛み合い、前記内部回転体３２０が外部回転体３１０の内部において回転するように回転力を提供するワインダー５００と、を備えるコマ。
【請求項１０】
前記コマが、外部回転体３１０が定着し、前記内部回転体３２０の回転軸３２１と結合して回転する補助コマ３３０をさらに有することを特徴とする請求項９に記載のコマ。
【請求項１１】
前記補助コマ３３０が、外部面の周りに沿って着脱可能に設けられる衝突リング３４０をさらに有することを特徴とする請求項１０に記載のコマ。
【請求項１２】
前記補助コマ３３０が、外部回転体３１０が定着する外部回転体収納溝３３１と、
前記外部回転体収納溝３３１の底面から一定の長さだけ突出し、前記内部回転体３２０の回転軸３２１と結合する回転軸挿入部３３３と挿入溝部３３３ａを形成した外部回転体定着部３３２、３３２’と、
前記外部回転体収納溝３３１の下部に設けられ、前記補助コマ３３０の回転軸を形成するボトム部３５０と、を有することを特徴とする請求項１０または１１に記載のコマ。
【請求項１３】
前記外部回転体定着部３３２’が、ボトム部３５０と結合するボトム結合部３３５と一体で形成され、前記外部回転体収納溝３３１の底面と分離可能に設けられたことを特徴とする請求項１２に記載のコマ。
【請求項１４】
前記ボトム部３５０が、外部回転体収納溝３３１と着脱可能に設けられたことを特徴とする請求項１２に記載のコマ。
【請求項１５】
前記外部回転体３１０が、球または楕円状のいずれか一方で形成され、前記外部回転体３１０の外部面の周りに沿って、少なくとも一つ以上の突起部３１２を形成したことを特徴とする請求項９または１０に記載のコマ。
【請求項１６】
前記内部回転体３２０が、回転軸３２１と、
前記回転軸３２１に設けられた回転体３２２と、
前記回転軸３２１と外部回転体３１０との間に設けられたベアリング３２３と、を有することを特徴とする請求項９または１０に記載のコマ。
【請求項１７】
前記コマランチャー４００が、外部回転体３１０が定着される外部回転体収納部４１１と、
ワインダー５００が挿入される複数のワインダー挿入孔４１２とが形成されたコマランチャー胴体部４１０と、
前記コマランチャー胴体部４１０の内部に回転可能に設けられ、上部には、前記内部回転体３２０の回転軸３２１と結合する結合部４２３が形成され、外部面には、ピニアンギアを形成したピニアンギア部４２０と、
前記コマランチャー胴体部４１０の内部においてピニアンギア部４２０が回転するように支持する回転軸４３０と、を有することを特徴とする請求項９または１０に記載のコマ。
【請求項１８】
内部に収納空間を形成した外部回転体３１０と、
前記外部回転体３１０の内部に設けられ、回転軸３２１を中心として、回転体３２２が前記外部回転体３１０の内部において回転する内部回転体３２０と、
前記外部回転体３１０の一部が定着され、前記内部回転体３２０の回転軸３２１と結合して回転する補助コマ３３０と、を有するコマ３００と、
前記コマ３００が移動するように中央に凹状の傾斜部６１１を形成したコマ板本体部６１０と、
前記コマ板本体部６１０に設けられ、前記コマ３００が定着するように多数の支持台６２１を形成した複数のコマ据え置き部６２０と、
前記コマ板本体部６１０とコマ据え置き部６２０との間を連結し、前記コマ据え置き部６２０に定着されたコマ３００が、コマ板本体部６１０に移動するように案内するガイド部６３０と、を備えるコマを用いたコマ遊び装置。
【発明の詳細な説明】
【技術分野】
【０００１】
本発明は、コマ及びコマを用いたコマ遊び装置に関し、より詳しくは、ジャイロスコープを用いて、コマ遊びの面白みを向上させたコマとこれを用いたコマ遊び装置に関する。
【背景技術】
【０００２】
伝統的なコマは、木材を円錐状に成形し、その下端部に金属製のボールを打ち込み、または半球状の先端を有するスクリューを結合させた構造からなっている。
【０００３】
しかしながら、木材製のコマの場合は、本体の加工及びボールの打ち込み等に多大な労力を要し、また外部から衝撃が加えられた場合は、割れやすく、破損しやすいという短所を有しているため、最近は、プラスチック合成樹脂を射出して成形することにより、その製作が容易であり、かつ耐久性を向上させた合成樹脂製のコマが広く市場に出回っている。
【０００４】
一方、コマを用いたコマ回しとしては、５〜１０ｍの目標地点を設定しておき、コマが早く帰ってくることを競う遊びや、回っているコマをぶつけて相手方のコマを倒すコマ喧嘩遊び等の遊び方が挙げられる。
【０００５】
最近になって、特許文献１に示すように回転体と、前記回転体に固定された回転軸と、前記回転軸の外側に設けられた一つ以上のホルダーと、前記ホルダーに分離可能に結合される一つ以上の回転チップと、を備えたコマが提案されている。
【０００６】
しかしながら、このような従来のコマは、回転体が露出しているため、コマ喧嘩の際に回転中の回転体が他のコマの回転体と直接衝突する場合、コマの回転力が減少しやすいことから、コマ喧嘩の面白みが損なわれるという問題点があった。
【先行技術文献】
【特許文献】
【０００７】
特許文献１：大韓民国実用新案登録２０‐４３９８４５号公報
【発明の概要】
【発明が解決しようとする課題】
【０００８】
本発明は、上記問題点を鑑みてなされたものであり、その目的は、ジャイロスコープを用いて、コマ遊びの面白みを向上させたコマとこれを用いたコマ遊び装置を提供することにある。
【課題を解決するための手段】
【０００９】
上述した目的を達成するために、本発明は、コマであって、内部に収納空間を形成し、ワインダーが貫通するように、複数のワインダー挿入孔を形成した外部回転体と、前記外部回転体の内部に設けられ、回転軸を中心として、前記外部回転体の内部において回転する内部回転体と、一側にラックギアが形成され、前記外部回転体の前記ワインダー挿入孔から挿入され、前記内部回転体と噛み合い、前記内部回転体が前記外部回転体の内部において回転するように回転力を提供する前記ワインダーと、を備え、前記内部回転体の遠心力により、前記外部回転体が回転することを特徴とする。
【００１０】
また、本発明による前記コマは、前記外部回転体の一部が定着し、前記外部回転体の回転または前記内部回転体の回転の少なくとも一つの回転を用いて回転する補助コマをさらに有することを特徴とする。
【００１１】
また、本発明による前記補助コマは、前記外部回転体が定着する外部回転体収納溝と、前記外部回転体収納溝の底面に設置される補助コマ回転軸と、前記外部回転体収納溝に設けられ、前記外部回転体収納溝に定着する外部回転体と結合し、前記結合された外部回転体の回転を補助コマに伝達する結合突起と、を有することを特徴とする。
【００１２】
また、本発明による前記補助コマは、前記外部回転体が定着する外部回転体収納溝と、前記外部回転体収納溝の底面に設けられた補助コマ回転軸と、前記外部回転体収納溝に設けられ、前記外部回転体から一定の長さだけ突出する前記内部回転体の回転軸と結合し、前記結合された内部回転体の回転を前記補助コマに伝達させる結合溝と、を有することを特徴とする。
【００１３】
また、本発明による前記外部回転体は、球または楕円状の上部及び下部に、前記補助コマと結合するように、結合溝が内在した結合孔を形成したことを特徴とする。
【００１４】
また、本発明による前記外部回転体が、球状の内側下部に内部回転体の回転軸を支持する回転軸支持部と、前記球状の内側上部に前記内部回転体の回転軸の一部が引き出される回転軸貫通孔と、を形成したことを特徴とする。
【００１５】
また、本発明による前記内部回転体は、回転軸と、前記回転軸に設けられた回転体と、前記回転軸に設けられ、ワインダーの水平運動を回転運動に変換し、前記回転軸に出力するピニアンギアと、を有することを特徴とする。
【００１６】
また、本発明による前記内部回転体は、一側に一定の形状の結合突起を形成した回転軸と、前記回転軸に設けられた回転体と、前記回転軸に設けられ、ワインダーの水平運動を回転運動に変換し、前記回転軸に出力するピニアンギアと、前記回転軸の一側に設けられ、前記回転軸の結合突起が、外部回転体の外部に一定の距離以上引き出されることを遮断するストッパーと、を有することを特徴とする。
【００１７】
また、本発明は、内部に収納空間を形成した外部回転体と、前記外部回転体の内部に設けられ、前記外部回転体を貫通する回転軸を中心として、前記外部回転体の内部において回転する内部回転体と、前記外部回転体が定着し、ワインダーが貫通する複数のワインダー挿入孔が形成され、前記内部回転体の回転軸と結合し、前記ワインダーの水平運動を回転運動に変換させ、前記内部回転体を回転させるコマランチャーと、一側にラックギアを形成し、前記コマランチャーと噛み合い、前記内部回転体が外部回転体の内部において回転するように回転力を提供するワインダーと、を備える。
【００１８】
また、本発明による前記コマは、外部回転体が定着し、前記内部回転体の回転軸と結合して回転する補助コマをさらに有することを特徴とする。
【００１９】
また、本発明による前記補助コマは、外部面の周りに沿って着脱可能に設けられる衝突リングをさらに有することを特徴とする。
【００２０】
また、本発明による前記補助コマは、外部回転体が定着する外部回転体収納溝と、前記外部回転体収納溝の底面から一定の長さだけ突出し、前記内部回転体の回転軸と結合する回転軸挿入部と挿入溝部を形成した外部回転体定着部と、前記外部回転体収納溝の下部に設けられ、前記補助コマの回転軸を形成するボトム部と、を有することを特徴とする。
【００２１】
また、本発明による前記外部回転体定着部は、ボトム部と結合するボトム結合部が一体で形成され、前記外部回転体収納溝の底面と分離可能に設けられたことを特徴とする。
【００２２】
また、本発明による前記ボトム部は、外部回転体収納溝と着脱可能に設けられたことを特徴とする。
【００２３】
また、本発明による前記外部回転体は、球または楕円状のいずれか一つで形成され、前記外部回転体の外部面の周りに沿って、少なくとも一つ以上の突起部を形成したことを特徴とする。
【００２４】
また、本発明による前記内部回転体は、回転軸と、前記回転軸に設けられた回転体と、前記回転軸と外部回転体との間に設けられたベアリングと、を有することを特徴とする。
【００２５】
また、本発明による前記コマランチャーは、外部回転体が定着される外部回転体収納部と、ワインダーが挿入される複数のワインダー挿入孔とが形成されたコマランチャー胴体部と、前記コマランチャー胴体部の内部に回転可能に設けられ、上部には、前記内部回転体の回転軸と結合する結合部が形成され、外部面には、ピニアンギアを形成したピニアンギア部と、前記コマランチャー胴体部の内部においてピニアンギア部が回転するように支持する回転軸と、を有することを特徴とする。
【００２６】
また、本発明は、コマを用いた遊び装置であって、内部に収納空間を形成した外部回転体と、前記外部回転体の内部に設けられ、回転軸を中心として、回転体が回転する内部回転体と、前記外部回転体の一部が定着され、前記外部回転体の回転または内部回転体の回転の少なくとも一つの回転を用いて回転する補助コマと、を有するコマと、前記コマが移動するように中央に凹状の傾斜部を形成したコマ板本体部と、前記コマ板本体部に設けられ、前記コマを定着させる複数のコマ据え置き部と、前記コマ板本体部とコマ据え置き部との間を連結し、前記コマ据え置き部に定着されたコマが、コマ板本体部に移動するように案内するガイド部と、を備える。
【発明の効果】
【００２７】
本発明によるコマには、コマの回転体が外部に露出しないため、衝突が生じても回転体の回転力が長時間維持され得るという長所がある。また、外部回転体と補助コマの結合により、コマ遊びの面白みをさらに向上させることができるという長所がある。また、本発明によるコマ遊び装置には、回転力と動きの異なる多数の補助コマを配置した後、使用者が選択する任意の補助コマを入場させ、コマ同士を衝突させることにより、コマ喧嘩の面白みがさらに増加するという長所がある。
【図面の簡単な説明】
【００２８】
【図１】本発明によるコマの第１の実施例を示す斜視図である。
【図２】図１に示すコマの外部回転体の構造を示す断面図である。
【図３】図１に示すコマの補助コマの構造を示す断面図である。
【図４】図１に示すコマの動作状態を示す斜視図である。
【図５】本発明によるコマの第２の実施例を示す断面図である。
【図６】図５に示すコマの補助コマの構造を示す断面図である。
【図７】本発明によるコマの第３の実施例を示す斜視図である。
【図８】図７に示すコマを示す断面図である。
【図９】図７に示すコマと補助コマを示す斜視図である。
【図１０】図９に示すコマと補助コマの構成を示す分解斜視図である。
【図１１】図９に示すコマと補助コマの構造を示す断面図である。
【図１２】図９に示すコマと補助コマの他の実施例を示す断面図である。
【図１３】図７に示すコマランチャーの他の実施例を示す斜視図である。
【図１４】図１３に示すコマランチャーの構造を示す分解斜視図である。
【図１５】本発明によるコマを用いたコマ遊び装置を示す斜視図である。
【発明を実施するための形態】
【００２９】
以下、添付した図面に基づき、本発明の好適な実施例について詳述する。
【００３０】
（コマ１）
図１は、本発明によるコマの第１の実施例を示す斜視図であり、図２は、図１に示すコマの外部回転体の構造を示す断面図であり、図３は、図１に示すコマの補助コマの構造を示す断面図であり、図４は、図１に示すコマの動作状態を示す斜視図である。
【００３１】
図１〜図４に示すように、第１の実施例によるコマ１００は、外部回転体１１０と、内部回転体１２０と、補助コマ１３０と、ワインダー１４０と、で構成される。
【００３２】
前記外部回転体１１０は、内部に収納空間を形成した球状の部材であって、前記外部回転体１１０は、内部に設けられた内部回転体１２０の遠心力により発生する回転力を用いて回転する。
【００３３】
本実施例では、前記外部回転体１１０の形状を、説明の便宜上、球状に限定して説明するが、これに限定されるものではなく楕円状などに変更して実施してもよい。
【００３４】
また、前記外部回転体１１０には、上部及び下部の中央に補助コマ１３０と結合するように結合溝１１１ａが内在した結合孔１１１がそれぞれ形成される。
【００３５】
前記結合溝１１１ａは、任意の突起形状からなり、補助コマ１３０と結合することで外部回転体１１０の回転力を前記補助コマ１３０に伝達させ、前記結合溝１１１ａの内側には、内部回転体１２０の回転軸１２１が設けられ前記内部回転体１２０の遠心力を外部回転体１１０に伝達する。
【００３６】
また、前記外部回転体１１０の側面には、複数のワインダー挿入孔１１３が穿孔され、ワインダー１４０が挿入されることにより内部に設けられた内部回転体１２０とワインダー１４０が噛み合う。
【００３７】
前記内部回転体１２０は、外部回転体１１０の内部に回転可能に設けられ、棒状の回転軸１２１には円盤状の回転体１２２が設けられ、前記回転軸１２１を中心として回転体１２２が前記外部回転体１１０の内部において回転することにより、遠心力が発生し、コマ１００が回転する。
【００３８】
また、前記内部回転体１２０は、回転軸１２１に設けられワインダー１４０のラックギア１４２と噛み合うことで、ワインダー１４０の水平運動を回転運動に変換し、前記回転軸１２１を回転させるピニアンギア１２３を有する。
【００３９】
前記補助コマ１３０は、内部に収納空間を形成した半球状の部材であって、外部回転体１１０の一部が定着することで、前記外部回転体１１０の回転を用いて回転し、外部回転体収納溝１３１と、補助コマ回転軸１３２と、結合突起１３３と、で構成される。
【００４０】
前記外部回転体収納溝１３１は、外部回転体１１０の下部が定着する空間であって、半球状の形状を有する。
【００４１】
前記補助コマ回転軸１３２は、外部回転体収納溝１３１の底面に一定の長さだけ突出し、前記補助コマ１３０が外部回転体１１０の遠心力により回転すると、前記補助コマ１３０が補助コマ回転軸１３２を中心として回転する。
【００４２】
前記結合突起１３３は、外部回転体収納溝１３１の底面から上方向に一定の長さだけ突出し、前記外部回転体収納溝１３１に定着する外部回転体１１０と結合される。
【００４３】
また、前記結合突起１３３の上部には、外部回転体１１０の結合溝１１１ａと噛み合うように、パターン部１３３ａが形成され、結合された外部回転体１１０の回転を補助コマ１３０に伝達させる。
【００４４】
前記ワインダー１４０は、内部回転体１２０が回転するように回転力を提供する構成であって、一定の長さを形成したワインダー本体部１４１と、前記ワインダー本体部１４１の一側に形成され、内部回転体１２０のピニアンギア１２３と噛み合うラックギア１４２と、前記ワインダー本体部１４１の末端に設けられ、使用者が前記ワインダー１４０を把持する取っ手１４３と、で構成され、前記ワインダー１４０を引っ張って水平移動させることにより、内部回転体１２０に回転力が提供される。
【００４５】
次いで、本発明の第１の実施例によるコマの動作過程について説明する。
【００４６】
使用者がワインダー１４０の取っ手１４３を把持した状態で、外部回転体１１０のワインダー挿入孔１１３にワインダー本体部１４１を挿入すると、前記ワインダー本体部１４１の一側に形成されたラックギア１４２と内部回転体１２０のピニアンギア１２３が噛み合う。
【００４７】
使用者が外部回転体１１０を把持した状態で、ワインダー１４０を引っ張ると、ピニアンギア１２３により、内部回転体１２０の回転軸１２１と回転体１２２が回転する。
【００４８】
このとき、外部回転体１１０を床に置くと、内部回転体１２０の回転軸１２１が外部回転体１１０の結合溝１１１ａと摩擦することで、前記外部回転体１１０に遠心力が発生し、前記外部回転体１１０が回転する。
【００４９】
また、外部回転体１１０を補助コマ１３０に挿入し、前記外部回転体１１０の結合孔１１１が補助コマ１３０の結合突起１３３と噛み合うようにし、前記外部回転体１１０と補助コマ１３０が結合された状態で床に置くと、内部回転体１２０の回転軸１２１が外部回転体１１０の結合溝１１１ａと摩擦することで、前記外部回転体１１０に遠心力が発生し、前記外部回転体１１０と補助コマ１３０が一緒に回転する。
【００５０】
（コマ２）
図５は、本発明によるコマの第２の実施例を示す断面図であり、図６は、図５に示すコマの補助コマの構造を示す断面図である。
【００５１】
図５及び図６に示すように、第２の実施例によるコマ２００は、外部回転体２１０と、内部回転体２２０と、補助コマ２３０と、ワインダー１４０（図１参照）と、で構成される。
【００５２】
前記外部回転体２１０は、内部に収納空間を形成した球または楕円状の部材であって、前記外部回転体２１０は、内部に設けられた内部回転体２２０の遠心力により発生する回転力を用いて回転する。
【００５３】
また、前記外部回転体２１０の内側下部には回転軸支持部２１１が設けられ、回転軸２２１が回転可能に支持されることで、内部回転体２２０の遠心力が外部回転体２１０に伝達され、前記外部回転体２１０の内側上部には回転軸貫通孔２１２が設けられることで、内部回転体２２０の回転軸２２１の一部が回転可能に支持され、前記外部回転体２１０を引っ繰り返すと、前記回転軸２２１の一部が前記回転軸貫通孔２１２から引き出されるようにする。
【００５４】
また、前記外部回転体２１０の側面には複数のワインダー挿入孔２１３が穿孔され、ワインダー１４０（図１参照）が挿入されることにより、内部に設けられた内部回転体２２０とワインダー１４０が噛み合う。
【００５５】
前記内部回転体２２０は、外部回転体２１０の内部に回転可能に設けられ、棒状の回転軸２２１に円盤状の回転体２２２が設けられ、前記回転軸２２１を中心として回転体２２２が前記外部回転体２１０の内部で回転することにより、遠心力を発生させ、コマ２００を回転させる。
【００５６】
また、前記回転軸２２１の一側には一定の形状の結合突起２２１ａが形成され、補助コマ２３０の結合溝２３３と結合することで、内部回転体２２０の回転力を前記補助コマ２３０に伝達させる。
【００５７】
また、前記内部回転体２２０は、回転軸２２１に設けられ、ワインダー１４０（図１参照）のラックギア１４２（図１参照）と噛み合い、ワインダー１４０の水平運動を回転運動に変換することにより、前記回転軸２２１を回転させるピニアンギア２２３を有する。
【００５８】
また、前記内部回転体２２０には、前記結合突起２２１ａが形成された回転軸２２１の一側にストッパー２２４が設けられることで、外部回転体２１０が引っ繰り返された場合、前記回転軸２２１の結合突起２２１ａが外部回転体２１０の外部に一定の長さ以上引き出されることを遮断する。
【００５９】
前記補助コマ２３０は、内部に収納空間を形成した半球状の部材であって、外部回転体２１０の一部が定着し、前記外部回転体２１０に内在する内部回転体２２０の回転を用いて回転し、外部回転体収納溝２３１と、補助コマ回転軸２３２と、結合溝２３３と、で構成される。
【００６０】
前記外部回転体収納溝２３１は、外部回転体２１０の下部が定着する空間であって、半球状の形状を有している。
【００６１】
前記補助コマ回転軸２３２は、外部回転体収納溝２３１の底面から一定の長さだけ突出し、前記補助コマ２３０が内部回転体２２０の回転力により回転すると、前記補助コマ２３０が補助コマ回転軸２３２を中心として回転する。
【００６２】
前記結合溝２３３は、外部回転体収納溝２３１の底面に形成され、前記外部回転体収納溝２３１に定着されることで、外部回転体２１０から引き出される内部回転体２２０の回転軸２２１の結合突起２２１ａと結合され、前記結合された内部回転体２２０の回転を補助コマ２３０に伝達する。
【００６３】
次いで、本発明の第２の実施例によるコマ２００の動作過程について説明する。
【００６４】
使用者がワインダー１４０（図１参照）を把持した状態で、外部回転体２１０のワインダー挿入孔２１３にワインダー１４０を挿入すると、前記ワインダー１４０に形成されたラックギア１４２と内部回転体２２０のピニアンギア２２３が噛み合う。
【００６５】
使用者が外部回転体２１０を把持した状態で、ワインダー１４０を引っ張ると、ピニアンギア２２３により内部回転体２２０の回転軸２２１と回転体２２２が回転する。
【００６６】
このとき、回転軸貫通孔２１２が上方向を維持した状態で外部回転体２１０を床に置くと、内部回転体２２０の回転軸２２１が外部回転体２１０の回転軸支持部２１１と摩擦することで、前記外部回転体２１０に遠心力を発生させ、前記外部回転体２１０が回転する。
【００６７】
また、外部回転体２１０を補助コマ２３０と一緒に回転させる場合、回転軸貫通孔２１２が下方向を維持するように外部回転体２１０を引っ繰り返すと、回転軸２２１の結合突起２２１ａが、前記回転軸貫通孔２１２から外部回転体２１０の外部に一定の長さだけ引き出される。
【００６８】
前記引っ繰り返された状態の外部回転体２１０を補助コマ２３０に定着させると、前記引き出された結合突起２２１ａと補助コマ２３０の結合溝２３３が噛み合い、内部回転体２２０から発生する回転力により、前記外部回転体２１０と補助コマ２３０が一緒に回転する。
【００６９】
（コマ３）
図７は、本発明によるコマの第３の実施例を示す斜視図であり、図８は、図７に示すコマを示す断面図であり、図９は、図７に示すコマと補助コマを示す斜視図であり、図１０は、図９に示すコマと補助コマの構成を示す分解斜視図であり、図１１は、図９に示すコマと補助コマの構造を示す断面図である。
【００７０】
図７〜図１１に示すように、本発明によるコマ３００は、外部回転体３１０と、内部回転体３２０と、補助コマ３３０と、衝突リング３４０と、ボトム部３５０と、コマランチャー４００と、ワインダー５００と、で構成される。
【００７１】
前記外部回転体３１０は、内部に収納空間を形成した球または楕円状の部材であって、前記外部回転体３１０は、内部に設けられた内部回転体３２０の遠心力により発生する回転力を用いて回転する。
【００７２】
また、前記外部回転体３１０は、上部及び下部の中央に、補助コマ３３０またはコマランチャー４００と噛み合って結合するように凹状の結合孔３１１が形成され、前記外部回転体３１０の外部面の周りに沿って、少なくとも一つ以上の突起部３１２が形成されることで、補助コマ３３０またはコマランチャー４００に結合する場合、前記外部回転体３１０が遊動することを防止する。
【００７３】
前記内部回転体３２０は、外部回転体３１０の内部に設けられ、前記外部回転体３１０を貫通する回転軸３２１を中心として前記外部回転体３１０の内部において回転する構成であって、回転軸３２１と、回転体３２２と、ベアリング３２３と、で構成される。
【００７４】
前記回転軸３２１は、外部回転体３１０の結合孔３１１を貫通し、一定の長さだけ突出した円柱状の部材であって、前記回転軸３２１の上端及び下端には、例えば、四角状の挿入部３２１ａが形成され、補助コマ３３０またはコマランチャー４００と結合するように構成される。
【００７５】
また、本実施例では、前記挿入部３２１ａの形状を、説明の便宜のために、四角状に限定して説明するが、これに限定されるものではなく、挿入部の形状を、三角状、五角状などの多角状や、円筒状の挿入部を横方向に貫通するようにシャフトが構成され、断面の形状が「十」字状となるように構成されてもよい。
【００７６】
前記回転体３２２は、回転軸３２１に設けられた円盤状の部材であって、前記回転軸３２１を中心として回転体３２２が前記外部回転体３１０の内部において回転することにより遠心力を発生させる。
【００７７】
前記ベアリング３２３は、外部回転体３１０の結合孔３１１と回転軸３２１との間に設けられ、回転軸３２１と回転体３２２を円滑に回転させる。
【００７８】
前記補助コマ３３０は、内部に収納空間を形成した半球状の部材であって、外部回転体３１０が定着し、内部回転体３２０の回転軸３２１と結合することで、前記内部回転体３２０の回転力により回転する構成であって、外部回転体収納溝３３１と、外部回転体定着部３３２と、回転軸挿入部３３３と、突起結合溝３３４と、ボトム結合部３３５と、衝突リング結合溝３３６と、衝突リング３４０と、ボトム部３５０と、で構成される。
【００７９】
前記外部回転体収納溝３３１は、半球状の補助コマ３３０の内部に外部回転体３１０が定着するように形成された溝部である。
【００８０】
前記外部回転体定着部３３２は、外部回転体収納溝３３１の底面の中央から一定の長さだけ突出して形成された部材であって、外部回転体３１０の結合孔３１１と噛み合うことで、前記外部回転体３１０が補助コマ３３０に定着されるようにする。
【００８１】
前記回転軸挿入部３３３には、外部回転体定着部３３２の上端に内部回転体３２０の回転軸３２１と噛み合うように、挿入溝部３３３ａが形成される。
【００８２】
前記突起結合溝３３４は、外部回転体収納溝３３１の内側面に複数個形成された溝部であって、外部回転体３１０の突起部３１２と噛み合うことで、前記外部回転体３１０が補助コマ３３０の内部において遊動することを防止する。
【００８３】
前記ボトム結合部３３５は、補助コマ３３０の下端に形成され、補助コマ３３０が回転するように支持するボトム部３５０が前記補助コマ３３０に固定されるように支持する構成であって、前記ボトム結合部３３５の外部面に沿って多数のボトム結合突起３３５ａが突出する。
【００８４】
前記衝突リング結合溝３３６は、補助コマ３３０の外部面に一定の大きさの溝部を形成し、衝突リング３４０が補助コマ３３０の外部に設けられて固定されるようにする。
【００８５】
前記衝突リング３４０は、リング状の部材であってプラスチック合成樹脂または金属からなり、補助コマ３３０の外部面の周りに沿って前記補助コマ３３０と着脱可能に設けられ、他のコマとの衝突時に相手方のコマに衝撃を加え、または衝突音を発生させ、コマ喧嘩の面白みをさらに向上させる。
【００８６】
前記ボトム部３５０は、補助コマ３３０の外部回転体収納溝３３１の下部に着脱可能に設けられ、前記補助コマ３３０の回転軸を形成する構成であって、ボトム結合部３３５と結合することで、補助コマ３３０が回転するように支持する。
【００８７】
また、前記ボトム部３５０には、ボトム結合部３３５のボトム結合突起３３５ａと噛み合って固定されるようにボトム挿入溝部３５１が形成されることで、使用者が選択的にボトム部３５０を交替可能にする。
【００８８】
すなわち、ボトム部３５０を、円錐、円柱、球などの様々な形状を有するボトムに変更することにより、補助コマ３３０の動きがボトムの形状に応じて変わる。
【００８９】
一方、図１２のように、外部回転体定着部３３２’を外部回転体収納溝３３１と分離可能に構成してもよい。
【００９０】
すなわち、外部回転体定着部３３２’とボトム結合部３３５を一体で構成し、外部回転体収納溝３３１の底面には貫通孔３３１ａを設け、前記外部回転体定着部３３２’のボトム結合部３３５を貫通させた後、ボトム部３５０と結合させることにより、ボトム部３５０を交替可能にしてもよい。
【００９１】
前記コマランチャー４００は、内部に収納空間を形成した半球状の部材であって、外部回転体３１０を定着し、ワインダー５００が貫通する複数のワインダー挿入孔４１２を形成し、前記内部回転体３２０の回転軸３２１と結合し、前記ワインダー５００の水平運動を回転運動に変換することで、前記内部回転体３２０を回転させる構成であって、コマランチャー胴体部４１０と、ピニアンギア部４２０と、回転軸４３０と、で構成される。
【００９２】
前記コマランチャー胴体部４１０は、内部に収納溝を形成した半球状の部材であって、外部回転体３１０を定着する外部回転体収納部４１１と、ワインダー５００が挿入される複数のワインダー挿入孔４１２と、ピニアンギア部４２０の上端が突出する貫通孔４１３と、外部回転体３１０の突起部３１２と噛み合い、前記外部回転体３１０がコマランチャー４００において遊動することを防止する突起結合溝４１４が形成される。
【００９３】
前記ピニアンギア部４２０は、コマランチャー胴体部４１０の内部に回転可能に設けられ、外部面にピニアンギアを形成したピニアンギア部胴体４２１と、前記ピニアンギア部胴体４２１の上部に形成され、前記ピニアンギア部胴体４２１が貫通孔４１３を通過しないように遮断するフランジ４２２と、前記ピニアンギア部胴体４２１の上部に形成され、内部回転体３２０の回転軸３２１と結合する結合部４２３と、で構成される。
【００９４】
前記回転軸４３０は、コマランチャー胴体部４１０の回転軸固定溝４１５に設けられ、前記ピニアンギア部４２０が回転可能に支持する。
【００９５】
一方、図１３は、図７に示すコマランチャーの他の実施例を示す斜視図であり、図１４は、図１３に示すコマランチャーの構造を示す分解斜視図である。
【００９６】
図１３及び図１４に示すように、コマランチャー４００’は、コマランチャー胴体部４１０と、ピニアンギア部４２０と、回転軸４３０と、前記コマランチャー胴体部４１０の下部に取っ手４４０を形成し、使用者が把持しやすく構成してもよい。
【００９７】
さらに図７〜図１１を参照すると、前記ワインダー５００は、内部回転体３２０が回転するように回転力を提供する構成であって、一定の長さを形成したワインダー本体部５１０と、前記ワインダー本体部５１０の一側にラックギア５２０を形成し、ワインダー挿入孔４１２からコマランチャー４００に挿入され、コマランチャー４００のピニアンギア部４２０と噛み合い、前記噛み合わされた状態で、ワインダー５００の取っ手５３０が引っ張られることで、ラックギア５２０の水平移動が回転運動に変換され、内部回転体３２０が外部回転体３１０の内部において回転するように回転力が提供される。
【００９８】
したがって、コマ３００が設けられたコマランチャー４００にワインダー５００を挿入した後、前記ワインダー５００を引っ張ることで、内部回転体３２０を回転させた状態で、外部回転体３１０を取って補助コマ３３０に定着させると、回転軸３２１が補助コマ３３０の回転軸挿入部３３３と噛み合うことで内部回転体３２０から発生する回転力により、前記外部回転体３１０と補助コマ３３０が一緒に回転する。
【００９９】
（遊び装置）
図１５は、本発明によるコマを用いたコマ遊び装置を示す斜視図である。
【０１００】
図７〜図１１、図１５に示すように、本発明によるコマを用いた遊び装置は、コマ３００とコマ板６００で構成される。
【０１０１】
前記コマ３００は、内部に収納空間を形成した外部回転体３１０と、前記外部回転体３１０の内部に設けられ、回転軸３２１を中心として回転体３２２が前記外部回転体３１０の内部において回転する内部回転体３２０と、前記外部回転体３１０の一部が定着し、前記内部回転体１２０の回転軸３２１と結合して回転する補助コマ３３０と、を備える。
【０１０２】
前記コマ板６００は、複数のコマ３００、３００’が移動しながら他のコマと衝突するように誘導する構成であって、コマ板本体部６１０と、コマ据え置き部６２０と、ガイド部６３０と、で構成される。
【０１０３】
前記コマ板本体部６１０は、コマ３００が移動するように中央に凹状の傾斜部６１１を形成する。
【０１０４】
前記コマ据え置き部６２０は、コマ板本体部６１０の周りに沿って複数個設けられ、補助コマ３３０が倒れないように支持する多数の支持台６２１が突出することで、前記補助コマ３３０がコマ据え置き部６２０に安定した状態を維持し、定着される。
【０１０５】
前記ガイド部６３０は、コマ板本体部６１０とコマ据え置き部６２０との間を連結する半円状の溝部であって、前記ガイド部６３０の溝部にはコマ据え置き部６２０に定着された補助コマ３３０のボトム部３５０が配置されることで、前記コマ据え置き部６２０に定着された補助コマ３３０が外部回転体３１０と結合して回転すると、前記補助コマ３３０のボトム部３５０が回転するとともに、前記ガイド部６３０に沿って移動し、前記コマ板本体部６１０に移動するように案内される。
【０１０６】
本発明によるコマを用いた遊び装置の動作過程について説明する。
【０１０７】
任意の場所にコマ板６００を設置した後、コマ据え置き部６２０の支持台６２１に補助コマ３３０を据え置く。このとき、前記補助コマ３３０のボトム部３５０は、ガイド部６３０の溝部に配置される。
【０１０８】
使用者が、内部回転体３２０の回転軸３２１がランチャー４００の結合部４２３と噛み合うように、外部回転体３１０の結合孔３１１をランチャー４００のピニアンギア部４２０に定着させ、ワインダー５００をランチャー４００に挿入する。
【０１０９】
前記使用者がワインダー５００を引っ張ると、ランチャー４００のピニアンギア部４２０が回転軸３２１を回転させることで、内部回転体３２０が外部回転体３１０の内部において回転する。
【０１１０】
使用者が、内部において内部回転体３２０が回転中の外部回転体３１０をランチャー４００から分離した後、外部回転体３１０の結合孔３１１が補助コマ３３０の外部回転体定着部３３２に挿入されるように安着させると、内部回転体３２０の回転軸３２１が補助コマ３３０の回転軸挿入部３３３と噛み合い、補助コマ３３０が回転する。
【０１１１】
前記補助コマ３３０が回転することにより、外部回転体３１０、内部回転体３２０、補助コマ３３０を備えるコマ３００が補助コマ３３０のボトム部３５０を回転軸として回転し、コマ３００の遠心力により支持台６２１から分離されたコマ３００は、ガイド部６３０に沿ってコマ据え置き部６２０からコマ板本体部６１０に移動し、前記コマ板本体部６１０の中央において他のコマと衝突するコマ喧嘩を行う。
【０１１２】
したがって、コマの回転体が外部に露出しないことで、衝突が発生しても回転体の回転力が長時間維持され、外部回転体と補助コマの結合により、コマ遊びの面白みがさらに向上し、多数のコマを同時に入場させ、衝突を発生させることにより、コマ喧嘩の面白みがさらに増加し得る。
【０１１３】
以上、本発明の好適な実施例に基づき説明したが、当該技術の分野における熟練した当業者であれば、下記の特許請求の範囲に記載の本発明の思想及び領域から逸脱しない範囲内で、本発明を様々に修正及び変更可能なことを理解できる。
【０１１４】
また、本発明の実施例を説明する過程において、図示の線の厚さや構成要素の大きさ等は、説明を明瞭にするためと便宜のために、誇張して図示されることがあり、上述した用語は、本発明における機能を考慮して定義された用語であって、これは、使用者、運用者の意図または慣例により異なるので、このような用語については、本明細書の全般にわたった内容に基づいて定義されなければならない。
【符号の説明】
【０１１５】
１００、２００、３００    コマ
１１０、２１０、３１０    外部回転体
１１１    結合孔
１１１ａ    結合溝
１１３、２１３    ワインダー挿入孔
１２０、２２０、３２０    内部回転体
１２１、２２１    回転軸
１２２、２２２    回転体
１２３、２２３    ピニアンギア
１３０、２３０、３３０    補助コマ
１３１、２３１    外部回転体収納溝
１３２、２３２    補助コマ回転軸
１３３    結合突起
１３３ａ    パターン部
１４０、５００    ワインダー
１４１、５１０    ワインダー本体部
１４２、５２０    ラックギア
１４３、５３０    取っ手
２１１    回転軸支持部
２１２    回転軸貫通孔
２２１ａ    結合突起
２２４    ストッパー
２３３    結合溝
２３３ａ    パターン部
３１１    結合孔
３１２    突起部
３２１    回転軸
３２１ａ    挿入部
３２２    回転体
３２３    ベアリング
３３１    外部回転体収納溝
３３２    外部回転体定着部
３３３    回転軸挿入部
３３３ａ    挿入溝部
３３４    突起結合溝
３３５    ボトム結合部
３３５ａ    ボトム結合突起
３３６    衝突リング結合溝
３４０    衝突リング
３４１    衝突リング結合突起
３５０    ボトム部
３５１    ボトム挿入溝部
４００    コマランチャー
４１０    コマランチャー胴体部
４１１    外部回転体収納部
４１２    ワインダー挿入孔
４１３    貫通孔
４１４    突起結合溝
４１５    回転軸固定溝
４２０    ピニアンギア部
４２１    ピニアンギア部胴体
４２２    フランジ
４２３    結合部
４２３ａ    挿入溝部
６００    コマ板
６１０    コマ板本体部
６１１    傾斜部
６２０    コマ据え置き部
６２１    支持台
６３０    ガイド部
【図１】
2016523177.tif 000003
【図２】
2016523177.tif 000004
【図３】
2016523177.tif 000005
【図４】
2016523177.tif 000006
【図５】
2016523177.tif 000007
【図６】
2016523177.tif 000008
【図７】
2016523177.tif 000009
【図８】
2016523177.tif 000010
【図９】
2016523177.tif 000011
【図１０】
2016523177.tif 000012
【図１１】
2016523177.tif 000013
【図１２】
2016523177.tif 000014
【図１３】
2016523177.tif 000015
【図１４】
2016523177.tif 000016
【図１５】
2016523177.tif 000017
【国際調査報告】
2016523177.tif 000018
2016523177.tif 000019
2016523177.tif 000020
2016523177.tif 000021